(57)【要約】【課題】蓋体閉時のキャップ本体への衝撃を緩和してキャップ本体に付着した内容物の飛散を防止させ得るヒンジキャップを提供する。【解決手段】蓋体３０の周壁部３１のヒンジ部２０と反対側部分について、周壁部３１の下端部をキャップ本体１０の上面よりも下方に延ばしてキャップ本体１０の外周面側に被さる飛散防止部４０を設け、飛散防止部４０の内周面がキャップ本体１０の外周面側面に覆い被さる構成としたことを特徴とする。【選択図】図１
2010184729.tif 000002
【特許請求の範囲】
【請求項１】
容器口頸部に被着される注出口を備えたキャップ本体と、該キャップ本体にヒンジ部を介して回動自在に連結され注出口を開閉する蓋体と、を備え、閉操作時に蓋体の下端がキャップ本体の上面に突き当たる構成で、
前記蓋体のヒンジ部と反対側部分には、キャップ本体の上面よりも下方に延びてキャップ本体の外周面側に被さり蓋体の閉操作時の残留液滴の飛散を防止する飛散防止部が設けられ、
前記キャップ本体の上面には蓋体の下端部内周が嵌合可能な環状突部が設けられ、前記キャップ本体の環状突部には外向きの係合突起が設けられ、一方、蓋体の下端部内周には閉位置にて前記係合突起と係合する被係合部が設けられた構成のヒンジキャップにおいて、
前記蓋体の被係合部から下端にかけての下端部内周領域を、被係合部が形成された領域よりも大径とした下端薄肉部とし、該下端薄肉部の被係合部側の端縁を徐々に小径となる傾斜面部としたことを特徴とするヒンジキャップ。
【請求項２】
前記飛散防止部は、蓋体の開閉方向に対して直交する方向の最大径である横幅の範囲内に設けられている請求項１に記載のヒンジキャップ。
【請求項３】
ヒンジ部は、蓋体を閉操作時に閉方向に付勢するばね手段を備えている請求項１又は２に記載のヒンジキャップ。
【請求項４】
飛散防止部によって覆われる部位の蓋体下端とキャップ本体上面との間に隙間が形成されている請求項１乃至３のいずれかに記載のヒンジキャップ。
【発明の詳細な説明】
【技術分野】
【０００１】
本発明は、注出口を備えたキャップ本体にヒンジ部を介して蓋体が開閉自在に取り付けられたヒンジキャップに関する。
【背景技術】
【０００２】
従来のこの種のヒンジキャップとしては、たとえば、特許文献１に記載のようなものが知られている。
すなわち、容器口頸部に被着される注出口を備えたキャップ本体と、キャップ本体の上部に着脱自在に被着されると共にキャップ本体の上部外周縁部に当接する周壁部を有する蓋体と、キャップ本体と前記蓋体の一側を回転自在に連結して蓋体を開閉自在とするヒンジ部と、を備えた構成となっている。
【０００３】
このようなヒンジキャップにあっては、閉操作時に蓋体の下端がキャップ本体の上面に突き当たる構成で、蓋体のヒンジ部と反対側部分には、注出された液体等の内容物がキャップ本体の上部外周縁部に付着している場合、蓋体を閉じた際に、蓋体の周壁部の下端部が突き当たり、その衝撃によって、液体等の内容物が周囲に飛散するという問題がある。特に、ヒンジ部にばねヒンジが使用されている場合に顕著である。
【０００４】
内容物の注出方向は、ヒンジ部に対して反対方向なので、内容物が付着するのはキャップ本体のヒンジ部と反対側の上面外周縁部であることから、特許文献１では、ヒンジ部と反対側の蓋体の下端から、キャップ本体外周面の少なくとも上方前部外面を覆う飛散防止部としてのカバー板を垂設し、カバー板によって内容物の飛散を防止するようになっていた。
【０００５】
しかし、この特許文献１に記載のカバー板は、飛散する飛沫が周囲に飛び散らないようにしているだけで、カバー板があったとしても、カバー板に衝突した飛沫がカバー板の側方や下方から飛び散るという問題がある。
【先行技術文献】
【特許文献】
【０００６】
【特許文献１】実開平０５−３５７０６号公報
【発明の概要】
【発明が解決しようとする課題】
【０００７】
本発明は、上記した従来技術の問題点を解決するためになされたもので、その目的とするところは、蓋体閉操作時に、蓋体の下端がキャップ本体に突き当たる際の衝撃を緩和してキャップ本体に付着した内容物の飛散を効果的に防止し得るヒンジキャップを提供することにある。
【課題を解決するための手段】
【０００８】
上記目的を達成するために、本発明は、容器口頸部に被着される注出口を備えたキャップ本体と、該キャップ本体にヒンジ部を介して回動自在に連結され注出口を開閉する蓋体と、を備え、閉操作時に蓋体の下端がキャップ本体の上面に突き当たる構成で、前記蓋体のヒンジ部と反対側部分には、キャップ本体の上面よりも下方に延びてキャップ本体の外周面側に被さり蓋体の閉操作時の残留液滴の飛散を防止する飛散防止部が設けられ、前記キャップ本体の上面には蓋体の下端部内周が嵌合可能な環状突部が設けられ、前記キャップ本体の環状突部には外向きの係合突起が設けられ、一方、蓋体の下端部内周には閉位置
にて前記係合突起と係合する被係合部が設けられた構成のヒンジキャップにおいて、前記蓋体の被係合部から下端にかけての下端部内周領域を、被係合部が形成された領域よりも大径とした薄肉部とし、該薄肉部の被係合部側の端縁を徐々に小径となる傾斜面部としたことを特徴とする。
【０００９】
前記飛散防止部は、蓋体の開閉方向に対して直交する方向の最大径である横幅の範囲内に設けられていることが好適である。このようにすれば、飛散防止部を、蓋体を開く際の指掛け部として使用できる。
また、ヒンジ部に、蓋体を閉方向に付勢するばね手段を備えていても、内容物の飛散するおそれがなく、使い勝手が向上する。
また、飛散防止部によって覆われる部位の蓋体下端と上部外周縁部との間に隙間が形成されるように部分的に接触する構成としておけば、飛散防止部によって覆われる部分が直接接触しないので、液滴の飛散をより一層効果的に防止することが可能となる。
【発明の効果】
【００１０】
本発明によれば、蓋体を閉じる際に、キャップ本体側の係合突起が、蓋体側の薄肉部内周面及び傾斜面部に摺接し、その際の摺動摩擦によって蓋体の閉じる速度を低下させ、閉操作時に蓋体下端がキャップ本体の上部外周縁部に衝突する衝撃を吸収する構成となっている。したがって、衝突時の飛散を少なくすることができ、飛散防止部によって内容物の飛散を確実に防止することができる。
一方、飛散防止部以外の領域は、内容物の注出方向からはずれているので、内容物が付着するとしてもごく僅かであり、また、蓋体の周壁部の下端部が衝突しても回転速度は小さく、内容物の飛散を防止することができる。
【図面の簡単な説明】
【００１１】
【図１】図１は本発明の実施の形態に係るヒンジキャップの注出孔を開封した状態を示すもので、同図（Ａ）は側面図、同図（Ｂ）は平面図、同図（Ｃ）は側面断面図、同図（Ｄ）は同図（Ｂ）の開口予定部を除去した状態のキャップ本体の平面図である。
【図２】図２（Ａ）乃至（Ｃ）は図１のヒンジキャップを閉じた状態を示すもので、同図（Ａ）は平面図、同図（Ｂ）は正面図、同図（Ｃ）は側面図、同図（Ｄ）はヒンジキャップを開いた状態の側面図である。
【図３】図３は図２（Ｃ）の縦拡大断面図である。
【図４】図４（Ａ）は図３の部分拡大断面図、同図（Ｂ）は同図（Ａ）の蓋体下端とキャップ本体上面との当接状態の他の態様を示す部分拡大断面図である。
【発明を実施するための形態】
【００１２】
以下に図面を参照して、この発明を実施するための最良の形態を、実施例に基づいて詳細に説明する。
図１乃至図３には、本発明の実施例１に係るヒンジキャップが示されている。
すなわち、１はヒンジキャップ全体を示すもので、容器口頸部１００に被着される注出口１１を備えたキャップ本体１０と、キャップ本体１０にヒンジ部２０を介して回動自在に連結され注出口１１を開閉する蓋体３０を備え、閉操作時に蓋体３０の下端がキャップ本体１０の上面に突き当たる構成となっている。
蓋体３０のヒンジ部２０と反対側部分には、キャップ本体１０の上面よりも下方に延びてキャップ本体１０の外周面側に被さり、閉操作時に、蓋体３０がキャップ本体１０の上面に突き当たる際のキャップ本体１０の上面の残留液滴の飛散を防止する飛散防止部４０が設けられている。
【００１３】
キャップ本体１０は、容器口頸部１００の上端に係合する環状上壁部１３と、環状上壁部１３の外径端から下方に垂下して容器口頸部１００の外周に嵌着される円筒状の外筒部
１４と、環状上壁部１３の内径端から下方に垂下して容器口頸部１００の内周に嵌着される円筒状の内筒部１５とを備えている。
本実施例では、この環状上壁部１３の上面が、蓋体３０の下端が突き当たるキャップ本体１０の上面であり、この環状上壁部１３の上面に蓋体３０の下端部内周が嵌合可能な環状突部１８が設けられている。この環状突部１８によって、環状上壁部１３が上部外周縁部１２と上部内周縁部１９とに区分されている。
【００１４】
また、内筒部１５のさらに内側には、所定間隔を隔てて円筒状の注出筒１６が設けられ、この注出筒１６と内筒部１５が環状の連結壁部１７を介して一体的に連結されている。連結壁部１７は容器側に凹状に窪んだ形状となっている。注出筒１６の先端部１６ａはアール形状に丸められており、液切れをよくしている。この注出筒１６の先端部１６ａの外径は、環状突部１８の内径よりも小さい。
【００１５】
注出筒１６は仕切板２によって閉塞され、この仕切板２には、切り裂き可能なスコア３ａで囲まれた開口予定部３が設けられている。開口予定部３には摘み片４が連結され、使用時に手で摘んで開封し、注出口１１を開口形成するようになっている。摘み片４は円形無端状に成形され、一本の支柱部５を介して開口予定部３に連結されている。この仕切板２は断面「く」字形状で、中央に向かってすり鉢状に窪んだ構成となっている。
【００１６】
蓋体３０は、周壁部３１と、注出筒１６を覆い周縁部が湾曲して周壁部３１につながる天面部３２と、を備えている。天面部３２には、周壁部３１より小径で周壁部３１と同心円状に垂下して延びて、注出筒１６の内周に密接する円筒状のシール筒部３３が設けられている。
【００１７】
なお、注出筒１６には、蓋体３０を回転した際に、そのシール筒部３３の回転軌跡と干渉しないように、ヒンジ部２０側に切欠き１６ｂが設けられている。蓋体３０を閉じたときには、シール筒部３３は注出筒１６内周面に密接し、開口予定部３を開封した後も容器を液密に封止する。
【００１８】
一方、ヒンジ部２０は、蓋体３０の周壁部３１とキャップ本体１０の当接部の一側を連結するもので、この実施例では、キャップ本体１０の上部外周縁部１２から突出するヒンジ片２１ａと、蓋体３０の周壁部３１の下端部から突出するヒンジ片２１ｂとが直線状の薄肉部２１ｃを介して一体成形された構成となっている。蓋体３０は、この薄肉部２１ｃを中心に回転してキャップ本体１０の上部を開閉する。
また、ヒンジ片２１ａ、２１ｂ間には、薄肉部２１ｃの両側に、ばね手段としての樹脂製のばね片２２が掛け渡されている。このばね片２２は、思案点となる所定角度以上に開くと、蓋体３０を開方向に付勢し、所定角度以下になると、蓋体３０を閉方向に付勢するように反転させる構成となっている。
【００１９】
飛散防止部４０は、蓋体３０の周壁部３１下端から段差部４１を介して外周側に張り出すと共に下方に延びて、キャップ本体１０の外周面の上縁に被さる円弧状の突出片で、キャップ本体１０の外周面をヒンジ部２０と反対側から左右に所定角度θの範囲を覆っている。飛散防止部４０は、ヒンジ部２０の反対側全体（キャップ本体の約半周）を覆うように設けてもよいが、ヒンジキャップ１を正面から見た時に、その横幅を超えて側方へ突出しないように、横幅の範囲内に設けることが好ましい。すなわち、横幅は、蓋体３０の開閉方向に対して直交する方向の最大径である。このようにすれば、飛散防止４０を、蓋体３０を開く際の指掛け部として使用できる。
より具体的には、ヒンジ部２０の中心からキャップ本体１０の中心を通る中心線Ｎが蓋体３０の周壁部３１に交差する点を中心として、左右に１５°〜６０°程度の範囲とすることが好適である。図示例では、θは６０°程度に設定されており、飛散防止部４０は、
ほぼ円周の３分の１程度を覆っている。この飛散防止部４０の内周面とキャップ本体１０の外周面間には若干の隙間ｇが形成されている。
【００２０】
一方、上記したキャップ本体１０の環状突部１８には、図４に拡大して示すように、外向きの係合突起６０が全周にわたって設けられ、蓋体３０の下端部内周には閉位置にて前記係合突起６０と係合する被係合部としての係合溝５０が設けられている。
【００２１】
係合突起６０は、頂部６１が丸い略三角形状で、頂部６１から上方に向かって徐々に小径となるように傾斜する上傾斜面部６２と、頂部から下方に向かって徐々に小径となるように傾斜する下傾斜面部６３とを有する。図示例では、下傾斜面部６３の傾斜角度の方が上傾斜面部６２の傾斜角度よりも大きくなっている。
【００２２】
一方、係合溝５０も前記係合突起６０の断面形状に倣って底部５１が丸い三角形状で、底部５１から上方に向かって徐々に小径となるように傾斜する上傾斜溝壁部５２と、底部５１から下方に向かって徐々に小径となるように傾斜する下傾斜溝壁部５３とを有する形状となっている。
【００２３】
そして、蓋体３０側の係合溝５０から下端にかけての下端部内周領域は、係合溝５０が形成された領域よりも大径とした下端薄肉部５４となっており、さらに、下端薄肉部５４の係合溝５０側の端縁には係合溝５０に向かって徐々に小径となる溝手前傾斜面部５５が形成されている。この下端薄肉部５４及び溝手前傾斜面部５５は蓋体３０の全周にわたって形成されている。傾斜面部５５の上側縁部と係合溝５０の下傾斜溝壁部５３の下側縁部との間の稜線部５６は、断面円弧状のなだらかな凸曲面となっている。
【００２４】
このヒンジキャップ１の製造については、ポリエチレンなど適宜の合成樹脂を用いて射出成形など公知の製造方法により、一体的に成形することができる。  
【００２５】
次に、本実施例のヒンジキャップの作用について説明する。
使用時には、蓋体３０を開いた状態で、摘み片４を引っ張ってスコア３ａを破断し、注出口１１が形成される。内容物を抽出する際には、ヒンジ部２０と反対側に容器を傾け、注出筒１６から内容物を所定量注出し、容器を起こして注出を終了する。
【００２６】
蓋体３０を閉じると、ヒンジ部２０のばね片２２のばね力によって閉方向に弾発付勢されて閉方向に回転し、蓋体３０の下端部がキャップ本体１０の上部外周縁部１２上面に突き当たる。
本発明によれば、蓋体３０を閉じる際に、キャップ本体１０側の係合突起６０の頂部６１乃至上傾斜面部６２が、蓋体３０側の下端薄肉部５４内周面及び溝手前傾斜面部５５に摺接し、稜線部５６を越えて係合溝５０に係合する。この下端薄肉部５４及び溝手前傾斜面部５５を通過する際の摺動摩擦によって蓋体３０の閉じる速度が低下し、閉操作時に蓋体３０下端がキャップ本体１０の上部外周縁部１２上面に衝突する衝撃を吸収する。したがって、衝突時の飛散を少なくすることができ、飛散防止部４０によって内容物の飛散を確実に防止することができる。
【００２７】
この薄肉部５４及び傾斜面部５５は、飛散防止部４０だけでなく、蓋体３０の全周に渡って形成されており、係合突起６０は、ヒンジ部２０側から順次薄肉部５４及び傾斜面部５５に摺動して係合溝５０に係合するので、衝撃吸収効果が高い。特に、この実施例では、飛散防止部４０によって３分の１程度の範囲を覆っているので、注出方向への飛散を確実に防止することができる。
一方、飛散防止部４０以外の領域は、内容物の注出方向からはずれているので、内容物が付着するとしてもごく僅かであり、また、蓋体３０の周壁部３１の下端部が衝突しても
回転速度は小さく、内容物の飛散を防止することができる。
なお、係合突起６０、係合溝５０、および下端薄肉部５４は、周方向に対して断続的に形成したり、部分的に形成することもでき、少なくとも蓋体３０を閉じる時の衝突速度が最も速くなる飛散防止部４０によって覆われる部位に設けてあれば、上述した減速効果が得られる。
【００２８】
なお、この実施例では、閉塞時に、蓋体３０の下端部が全周にわたって上部外周縁部１２上面に当接する構成となっているが、図４（Ｂ）に示すように、飛散防止部４０によって覆われる部位の蓋体下端３０ａと上部外周縁部１２との間に隙間が形成されるように部分的に接触する構成としておいてもよい。このようにすれば、飛散防止部４０によって覆われる部分が直接接触しないので、液滴の飛散をより一層効果的に防止することが可能となる。
【００２９】
一方、蓋体３０を開く際には、飛散防止部４０に指をかけて開操作を行う。飛散防止部４０とキャップ本体１０の外周部前面との間には隙間があるので、飛散防止部４０への指掛かりが良く、使い勝手がよい。
【００３０】
なお、上記実施の形態では、キャップ本体１０を容器口頸部１００に打栓嵌合しているが、ねじ係合させるようにしてもよい。
【産業上の利用可能性】
【００３１】
本発明に係るヒンジキャップは、醤油、ソース、たれ、ドレッシング等の調味料や食用油等を収容する容器の他、飲料や医薬品等に用いる各種容器に利用可能である。
【符号の説明】
【００３２】
１     ヒンジキャップ
２     仕切板
３     開口予定部
３ａ      スコア
４     摘み片
５     支柱部
１０   キャップ本体
１１   注出口
１２   上部外周縁部
１３   環状上壁部
１４   外筒部
１５   内筒部
１６   注出筒
１６ａ    先端部、１６ｂ   切欠き
１７   連結壁部
１８   環状突部
１９   上部内周縁部
２０   ヒンジ部
２１ａ、２１ｂ   ヒンジ片
２１ｃ   薄肉部
２２   ばね片
３０   蓋体
３１   周壁部
３２   天面部
３３   シール筒部
４０   飛散防止部
４１   段差部
５０   係合溝
５１   底部
５２   上傾斜溝壁部
５３   下傾斜溝壁部
５４   下端薄肉部
５５   溝手前傾斜面部
５６   稜線部
６０   係合突起
６１   頂部
６２   上傾斜面部
６３   下傾斜面部
１００   容器口頸部
【図１】
2010184729.tif 000003
【図２】
2010184729.tif 000004
【図３】
2010184729.tif 000005
【図４】
2010184729.tif 000006